(57)【要約】【課題】  同種の軽元素を主成分とする無染色の生体組織、樹脂や似通った組成の薄膜を積層した構造体を対象とする場合でも、像のコントラストを向上し、操作性にも優れかつ、より実用的なインテリアＣＴの画像再構成方法により試料一部の所望領域の高空間分解能３次元断層像を計測可能なインテリアＣＴ位相イメージングＸ線顕微鏡装置を提供する。【解決手段】  複数の画像記録範囲をもつ光学系を容易に交換できる位相差画像データ計測用光学系を備えた位相差ＸＲＭ装置により、まず、画像記録範囲が大きな低倍率で試料全体の位相差Ｘ線顕微像を撮影し、その低倍率位相差Ｘ線顕微像をもとに高倍率・高空間分解能で撮影する試料の関心領域（ROI）を決め、高倍率Ｘ線光学系に変更して高倍率・高空間分解能データを取るようにした。こうすることにより、低倍率測定時の位相差Ｘ線顕微再構成像のうち、所望の高倍率測定するＲＯＩの内部にある測定点の再構成データを用いることにより、高空間分解能インテリアＣＴ画像再構成を行うことが出来るインテリアＣＴ位相イメージングＸＲＭ装置を提供する。【選択図】  図７
2019066051.tif 000002
【特許請求の範囲】
【請求項１】
Ｘ線を放射するＸ線源と、
前記Ｘ線源と試料の間に配置され、前記Ｘ線源を格子状に成形するための第一の格子と、
前記試料を回転保持するための試料台と、
前記試料の後方に配置されたＸ線結像光学系と、
前記試料の後方に配置された第二の格子と、
前記試料のＸ線像を強度分布として検出するための手段とを備えたＸ線顕微鏡装置であって、
前記Ｘ線結像光学系と第二の格子を二組以上複数の組み合わせで同時に交換できる機構を備えていることを特徴とするインテリアＣＴ位相イメージングＸ線顕微鏡装置。
【請求項２】
前記請求項１に記載したインテリアＣＴ位相イメージングＸ線顕微鏡装置において、さらに、前記Ｘ線源と前記第一の格子の間において前記Ｘ線源から放射されたＸ線を集光する集光レンズを備え、当該集光レンズと前記試料との間に設置された第一の格子が前記X線結像光学系と第二の格子を複数の組み合わせで同時に交換できる機構の動作とともに位置を変更できる機構を備えていることを特徴とするインテリアＣＴ位相イメージングＸ線顕微鏡装置。
【請求項３】
前記試料の内部の計測を所望する領域を通過する前記Ｘ線により投影データを取得し、前記回転制御可能な一軸を回転のステップ毎に撮像した複数の前記投影データを用いて断層撮像（ＣＴ）の画像再構成法により第１段階の近似的な再構成を行い、前記で再構成したＣＴ画像に基づいて前記試料内部の計測を所望する領域内において物理量を表す投影データの画像数値が少なくとも区分的に一様または区分的に多項式で表される領域Ａを特定し、前記領域Ａの位置とその内部で前記物理量が区分的に一様または区分的に多項式で表される性質を用いて、前記第１段階の再構成よりも精度の高い第２段階の再構成を行うインテリアＣＴの画像再構成方法により前記試料内部の計測を所望する領域内の構造を３次元計測可能なことを特徴とするインテリアＣＴ位相イメージングＸ線顕微鏡装置。
【請求項４】
前記試料内部の計測を所望する領域を通過する前記Ｘ線により投影データを取得する準備段階として、試料全体のＣＴデータが取得可能な低倍率で、前記ＣＴデータ像の一部を測定し、前記第準備段階のデータを精度の高い第２段階の再構成を行うデータと合わせて利用するインテリアＣＴの画像再構成方法により前記試料内部の計測を所望する領域内の構造を３次元計測可能なことを特徴とするインテリアＣＴ位相イメージングＸ線顕微鏡装置。
【請求項５】
請求項３又は４に記載したインテリアＣＴの画像再構成方法において、前記投影データの画像数値が、当該撮影対象による前記電子ビームの位相シフトを含んでいるインテリアＣＴの画像再構成方法であることを特徴とするインテリアＣＴ位相イメージングＸ線顕微鏡装置。
【請求項６】
請求項３又は４に記載したインテリアＣＴの画像再構成方法において、前記投影データの画像数値が、当該撮影対象による前記電子ビームの回折を含んでいるインテリアＣＴの画像再構成方法であることを特徴とするインテリアＣＴ位相イメージングＸ線微鏡装置。
【請求項７】
請求項３又は４に記載したインテリアＣＴの画像再構成方法において、前記試料内部の計測を所望する領域内において特定される前記領域Ａが、前記第１段階の近似的な再構成で得られたＣＴ画像から特定した区分的に一様または区分的に多項式で表される複数の領域Ａの中から選択可能であることを特徴とするインテリアＣＴ位相イメージングＸ線顕微鏡装置。
【請求項８】
請求項３又は４に記載したインテリアＣＴの画像再構成方法において、前記試料内部の計測を所望する領域内において特定される前記領域Ａは、前記第１段階の近似的な再構成により得られたＣＴ画像を使用して人間が手動で設定可能であることを特徴とするインテリアＣＴ位相イメージングＸ線顕微鏡装置。
【請求項９】
前記請求項３又は４に記載したインテリアＣＴの画像再構成方法において、前記第１段階の近似的な再構成により得られたＣＴ画像を使用して前記試料内部の計測を所望する領域内で特定される前記領域Ａは、前記試料内部の計測を所望する領域内で、同一あるいは類似試料の以前に取得したＣＴ画像からの特定、前記撮影対象の構造を表すモデルや先験情報からの特定の少なくとも一つにより予め設定されることを特徴とするインテリアＣＴ位相イメージングＸ線顕微鏡装置。
【発明の詳細な説明】
【技術分野】
【０００１】
本発明は、Ｘ線顕微鏡装置（X-ray Microscope：ＸＲＭ）に関し、特に、Ｘ線の位相をコントラストに変換して試料の構造を計測する位相差式のＸ線顕微鏡装置に関する。
【背景技術】
【０００２】
ＸＲＭは、試料のサブミクロンレベルの構造を観察する等に広く用いられている。これは、試料にＸ線を照射し、当該試料を透過したＸ線を、検出器上に拡大投影し、試料内部の構造を透かし観る手法であり、試料物体内部のＸ線の吸収度を反映した投影像が得られるものであり、例えば、以下の非特許文献１により既に知られている。【０００３】
更に、Ｘ線の吸収度ではなく物質を通過することにより変化するＸ線の位相を画像化した位相画像を取得する手法については非特許文献２により既に知られている。また位相格子を用いた位相画像取得方法とフレネルゾーンプレート（FZP）による拡大光学系を用いて、試料の拡大像を得るTalbot干渉計―ＸＲＭについても非特許文献３によって既に知られている。【０００４】
次に、３次元像を構成する手法は、試料の断面を完全に覆うＸ線を照射して、試料断面を通過する全ての直線上の投影データを測定し、そのデータを用いて画像再構成するものになっている。このような手法は非特許文献４によって知られている。しかし、対象物（試料）内の小さな関心領域（ＲＯＩ：Region of Interest）だけの断層画像が欲しい場合でも、一般的にはＲＯＩのみではなく、試料断面を通過する全ての直線上の投影データを必要であった。【０００５】
一般に高倍率で空間分解能高く撮像する場合、投影像は高倍率で試料のＲＯＩ部分を測定することが多く、従来のＣＴ手法では周囲のデータ欠落により必ずしも精度の高い３次元像再構成が出来なかった。これは、ＣＴの画像再構成に用いられる計算手順であるフィルタ補正逆投影（ＦＢＰ：Filtered Back Projection）法において、ＲＯＩ画像を生成するのにＲＯＩを通過しない直線上の投影データも必要なことによる。しかし、ＲＯＩを通過しない直線上の投影データはＲＯＩの情報を全く含んでいない。そこで、Ｘ線ＣＴの分野ではＲＯＩだけにＸ線を照射して、ＲＯＩを通過する（全ての）直線上の投影データのみを測定してＲＯＩの画像のみを生成するＣＴ撮影の方法が、インテリアＣＴとして開発されてきた。【０００６】
このインテリアＣＴには、不必要な投影データをも測定する従来のX線ＣＴと比較して、（１）ＲＯＩ外部の被曝量（試料損傷）の大幅な低減、（２）検出器サイズやＸ線ビーム幅の削減、（３）視野に収まらない大きい物体の撮影が可能になること、（４）物体の小視野だけにＸ線を照射して拡大撮影する高分解能ＣＴが可能になること等が挙げられる。【０００７】
インテリアＣＴでは、ＲＯＩを通過しない直線上の投影データは測定されないため、一部が欠損した不完全投影データから画像再構成を行う手法が必要となる。平行ビームによる投影データ収集では、対象物f(x,y)と画像化の対象となるＲＯＩを（図１を参照）直線が通過する投影データp(r,θ)（rは動径、θは角度）のみが測定可能である。この場合、直線がＲＯＩを通過しないp(r,θ)は測定されないため、各角度θの投影データは、左右がトランケーションされて欠損することになる。このようなトランケーションされた投影データからＲＯＩにおいて画像f(x,y)を正しく再構成する必要がある。【０００８】
このインテリアＣＴの再構成は長年多くの研究が行われてきており、非特許文献５では、インテリアＣＴの画像再構成は解が投影データから唯一に決まり数学的に正しい画像再構成として定まらないことが数学的に証明されている。この非一意性が知られていたため、多くの近似的な画像再構成法が研究されてきた。【０００９】
その代表的な手法として、（１）各方向投影データ左右の欠損部分を滑らかな関数で外挿してから画像再構成する手法、（２）不完全な投影データのまま逐次近似法により画像再構成を行う手法などが研究されたが、近似誤差によるアーティファクトが発生して実用に至らなかった（非特許文献６、７、８）。このインテリアＣＴにおいて発生する典型的なアーティファクトの例を示すと、画像低周波成分に歪みが発生するシェーディングアーティファクト（図2（ａ）を参照）やＲＯＩ周辺部で値が増大するカッピング効果（図2（ｂ）を参照）が発生し、画像の値が安定に定まらないことが知られている。【００１０】
これらの先行研究に対し、インテリアＣＴの厳密な画像再構成法が案出され（非特許文献８、９）、ＲＯＩの内部にある任意の小さな領域B（即ち、図3（ａ）においてＲＯＩの内部にある丸印の領域）において画像f(x,y)の値が事前に既知であるという先験的知識があれば、インテリアＣＴの画像再構成の解は一意に定まることを証明した。解の一意性を保証するための領域Bは複数あれば小さくともＲＯI S内のどの場所にあっても良い。この成果は、特許文献１として知られている。【００１１】
一方、別の先験的知識を用いて厳密な画像再構成を可能にする手法も案出されており（非特許文献７）、圧縮センシングと呼ばれる不足した測定データから高精度で信号復元を行う手法に基づき、画像f(x,y)がＲＯＩの全体で区分的一様であれば、インテリアＣＴの画像再構成の解は一意に定まることが示された。ここで、区分的一様とは、数値ファントムのように、画像が完全な一定値を持つ有限個の領域で構成されていることを指す（図3（ｂ）を参照）。この成果は、特許文献２として知られている。
【先行技術文献】
【非特許文献】
【００１２】
【非特許文献１】Y. Yoneda：New Emission X-ray Microscope, Review of Scientific Instruments, Vol.33, (1962), 529-532
【非特許文献２】U.Bonse and M. Hart：An X-ray Interferometer, Applyied Physics Letter, 6, (1965) 155-156
【非特許文献３】Y. Takeda, W. Yashiro, T. Hattori, A. Takeuchi, Y. Suzuki and A. Momose：Differential Phase X-ray Imaging Microscopy with X-ray Talbot Interferometer, Applied Physics Express, Vol.1, 11,(2008) 117002
【非特許文献４】Natterer F: The Mathematics of Computerized Tomography. Wiley, 1986
【非特許文献５】Ye Y, Yu H, Wei Y, Wang G: A general local reconstruction approach based on a truncated Hilbert transform. International Journal of Biomedical Imaging 2007: Article ID 63634, 2007
【非特許文献６】Kudo H, Courdurier M, Noo F, Defrise M: Tiny a priori knowledge solves the interior problem in computed tomography. Physics in Medicine and Biology 53: 2207-2231, 2008
【非特許文献７】Yu H, Wang G: Compressed sensing based interior tomography. Physics in Medicine and Biology 54: 2791-2805, 2009
【非特許文献８】Yang J, Yu H, Jiang M, Wang G: High order total variation minimization for interior tomography. Inverse Problems, 26: Article ID 35013, 2010
【非特許文献９】Courdurier M, Noo F, Defrise M, Kudo H: Solving the interior problem of computed tomography using a priori knowledge. Inverse Problems 24: Paper No. 065001, 2008
【非特許文献１０】Wataru Yashiro, Yoshihiro Takeda, and Atsushi Momose：Efficiency of capturing a phase image using cone-beam x-ray Talbot interferometry, Journal of the Optical Society of America A, 8 (2008) 2025-2039
【非特許文献１１】百生 敦：Talbot効果を利用したX線位相イメージング, 放射光, 23 (2010) 382-392
【特許文献】
【００１３】
【特許文献１】米国特許第７,６９７,６５８号
【特許文献２】米国特許第８,８１１,７００号
【発明の概要】
【発明が解決しようとする課題】
【００１４】
ＸＲＭにおいて、X線の吸収が少なくコントラストの着きにくい無染色の生体軟組織、樹脂や似通った組成の薄膜を積層した構造体などを対象とする場合には、試料物体を透過する電子線の位相をコントラストに変換して観察する、所謂、位相差ＸＲＭが用いられる。本発明は、上述した位相差ＸＲＭのうち、試料のＲＯＩを中心にＸ線の照射を行っても高分解能の画像が構築できるため、特に、試料のＸ線被曝の低減に有利なインテリアＣＴ位相イメージングＸＲＭに関する。【００１５】
本発明の関わる位相差ＸＲＭにおいても、なお、試料物体中においてより重い元素がより高い密度で存在している程、大きなX線の散乱があり、明瞭なコントラストが得られるという吸収コントラストの原理による画像のコントラストは生ずる。しかしながら、同種の軽元素を主成分とする無染色の生体組織、樹脂や似通った組成の薄膜を積層した構造体を対象とする場合には、像にコントラストが着きにくいため、これを解決する手法として、Ｘ線格子を用いて試料物体を透過するＸ線の位相をコントラストに変換して観察する、位相イメージングＸＲＭを用いる。【００１６】
しかし、従来型の位相差ＸＲＭで、空間分解能を高くとって画像を得ようとすると、光学系や画像検出器のサイズの限界から、画像記録範囲が狭くなる。このような試料全体の位相差Ｘ線ＣＴデータが取得できない状態でCT法を用いるための位相差Ｘ線画像データを取得しても、所望の制度の画像再構成が出来ないため、かならずしもＲＯＩの高空間分解能ＣＴデータの取得が出来ないという欠点があった。【００１７】
上記した欠点を克服するためにはインテリアCT画像解析手法が用いられるが、前記非特許文献７と非特許文献８により知られた厳密解法を適用するには、撮像前に、物体に関する先験的知識（図３aにおけるＲＯＩ内部の小さな領域Bにおける画像の値）が分かっている必要があるが、撮像前に画像の値が既知という状況はごく希である。また、前記非特許文献７の厳密解法では、画像のＲＯＩの一部が区分的一様という仮定をするため、この手法では滑らかな濃度変化が失われてしまう。【００１８】
そこで、本発明は、同種の軽元素を主成分とする無染色の生体組織、樹脂や似通った組成の薄膜を積層した構造体を対象とする場合でも、像のコントラストを向上し、操作性にも優れかつ、より実用的なインテリアＣＴの画像再構成方法により試料一部の所望領域の高空間分解能３次元断層像を計測可能なインテリアＣＴ位相イメージングＸＲＭを提供することを目的とする。
【課題を解決するための手段】
【００１９】
上述した目的を達成するため、画像記録範囲を２種以上、複数の容易に交換できる位相差画像データ計測用光学を備えた位相イメージングＸＲＭを考案した。本発明によれば、まず、画像記録範囲が大きな低倍率で試料全体の位相差ＸＲＭ像を撮影し、その低倍率位相差ＸＲＭ像をもとに高倍率・高空間分解能で撮影する試料の関心領域ROIを決め、高倍率X線光学系に変更して高倍率・高空間分解能データを取るようにした。こうすることにより、低倍率測定時の位相差ＸＲＭ再構成像のうち、所望の高倍率測定するＲＯＩの内部にある測定点の再構成データを用いることにより、インテリアＣＴ画像再構成を行うことが出来るインテリアＣＴ位相イメージングＸＲＭを構築することが可能である。【００２０】
また、本発明では、上記に記載したインテリアＣＴ位相イメージングＸＲＭにおいて、倍率の異なるＸ線光学系のＸ線格子、フレネルゾーンプレート（FZP）等の光学素子はそれぞれの倍率の異なる光学系毎に最適化できるよう位置及び傾きの調整ができる冶具に設置され、これらの光学系を併進や回転等の操作で容易に切り替えられる機構を備えていることが、前記インテリアＣＴ位相イメージングＸＲＭの使い勝手上好ましい。最大の視野を得るためにはFZPを取り付けない光学系もあり、拡大しない等倍光学系も含まれる。【００２１】
さらに、上記に記載のインテリアＣＴ位相イメージングＸＲＭでは、前期光学素子の位置を微小量変化させ、複数の画像を取得することにより、前記試料による位相変化、振幅変化、もしくは、散乱を画像として検出することが好ましい。【００２２】
撮像された低倍率画像データについては、断面撮像のため少なくとも試料回転を行う１軸に垂直な断面の投影像全てが撮像できる条件で試料を通過するＸ線により投影データを取得し、前記で得られた投影データを用いてＣＴの画像再構成法により第１段階の近似的な再構成を行う。次に、ＲＯＩ全ての投影像が測定可能な最大の倍率で、投影データを測定し、前記で再構成したＣＴ画像に基づいて前記ＲＯＩ内において物理量を表す画像数値が少なくとも区分的に一様または区分的に多項式で表される領域を特定し、前記特定した領域の位置とその内部で前記物理量が区分的に一様または区分的に多項式で表すことにより、前記第１段階の再構成よりも精度の高い第２段階の再構成を行うインテリアＣＴの画像再構成方法とする。【００２３】
なお、本発明では、前記に記載したインテリアＣＴの画像再構成方法において、前記物理量を表す投影データの数値は、当該撮影対象による前記Ｘ線の吸収を含んでもよく、或いは、当該撮影対象による前記Ｘ線の位相シフトを含んでもよく、或いは、当該撮影対象による前記Ｘ線の回折を含んでもよく、或いは、当該撮影対象による前記電子ビームの散乱を含んでもよい。【００２４】
前記インテリアＣＴの画像再構成方法において、前記ＲＯＩ内において特定される前記少なくとも区分的に一様または区分的に多項式な領域は、前記第１段階の再構成により得られたＣＴ画像を使用して人間が手動で設定してもよく、或いは、前記第１段階の再構成により得られたＣＴ画像を使用して画像処理により設定してもよい。或いは、前記ＲＯＩ内で、前記撮影対象の以前に取得したＣＴ画像からの特定、前記撮影対象の構造を表すモデルや先験情報からの特定の少なくとも一つにより予め設定されていてもよい。なお、前記第１段階の近似的な再構成により得られたＣＴ画像を使用して前記ＲＯＩ内で特定される前記少なくとも区分的に一様または区分的に多項式な領域は、前記ＲＯＩの境界の一部を含んで形成されてもよい。【００２５】
前記インテリアＣＴの画像再構成方法において、前記第１段階の近似的な再構成を、フィルタ補正逆投影（ＦＢＰ）法、逐次近似法、統計的再構成法を含む従来のＣＴの画像再構成法の少なくとも一つにより実行してもよく、或いは、前記第２段階の再構成を、微分逆投影ヒルベルト変換法、拘束条件付き逐次近似法、及び、拘束条件付き統計的再構成法を含むＣＴの画像再構成法の少なくとも一つにより実行してもよい。
【発明の効果】
【００２６】
上述した本発明によれば、試料物体を通過するX線の位相差を画像化し、Ｘ線の位相差の分布を定量的に計測し、従来技術よりも、はるかに少ない先験的知識で厳密な画像再構成が可能な、より実用的なインテリアＣＴの画像再構成方法を備えたインテリアＣＴ位相イメージングＸＲＭを提供することが可能となる。
【図面の簡単な説明】
【００２７】
【図１】通常のＣＴとの比較により本発明が関わるインテリアＣＴについて説明する図である。
【図２】従来の厳密な再構成が可能になる場合と、従来の厳密な再構成が可能になる例を示す図である。
【図３】インテリアＣＴにおいて発生する典型的なアーティファクトの例を示す図である。
【図４】本発明で用いたＸ線光学系を説明する図である。
【図５】本発明で用いたＸ線光学系で各光学素子の配置について説明する図である。
【図６】本発明で用いた２種類のＸ線光学系で各光学素子の調整及び切替について説明する図である。
【図７】本発明のインテリアＣＴ位相イメージングＸＲＭ装置の主要部分構成について説明する図である。
【図８】本発明のインテリアＣＴ位相イメージングＸＲＭ装置の全体構成について説明する図である。
【図９】本発明のインテリアＣＴ位相イメージングＸＲＭ装置の測定方法について説明する図である。
【図１０】本発明の２段階画像再構成法の詳細を示すフローチャート図である。
【図１１】本発明の２段階画像再構成法における不完全画像と厳密な画像の一例を示す図である。
【図１２】従来の厳密な再構成が可能になる場合と、従来の厳密な再構成が可能になる例を示す図である。
【図１３】本発明でいう区分的一様と区分的多項式について説明する図である。
【図１４】先験的知識非同定型画像再構成法（実施例３）においてＲＯI Sの一部に先験情報領域Bを設定する具体例を示す図である。
【図１５】先験的知識同定型画像再構成法と先験的知識非同定型画像再構成法の具体的なシミュレーション実験例を示す図である。
【図１６】本発明の画像再構成方法である先験情報を利用することなくインテリアＣＴの数学的に厳密な画像再構成を実現する手法を説明する図である。
【図１７】本発明の画像再構成方法を一般化する場合の考え方を説明する図である。
【図１８】上記画像再構成方法を、180度平行ビーム、ファンビームショートスキャン、多角形軌道ファンビームスキャンに適用した場合の説明図である。
【発明を実施するための形態】
【００２８】
以下、添付の図面を参照しながら本発明を実施するための形態について詳細に説明する。
＜実施例１＞
【００２９】
まず、本発明の基本的な考え方として、市販のＸＲＭ装置に光学系切替機構を付加する形で、装置を構成した。装置のうちＸ線源、試料載置機構、Ｘ線検出器は大きさと重量の観点から固定することとした。これらの機器が位置変更可能な光学系とすることも可能である。本実施例ではＸ線源−試料中心間距離を５００ｍｍ、試料中心−Ｘ線検出器・素子面間距離を７６０ｍｍとして、２種類の倍率の光学系を組み込んだ。
【００３０】
図４（ａ）に本発明で採用したFZPを加えた拡大光学系をもつTalbot-Lau干渉計の各光学素子の配置を記載する。ここで集光鏡２は中空ガラス管の内面の形状を２つの焦点の一方がＸ線源１、他方が試料４となる回転楕円面に形成され内面でＸ線を全反射できるようになっている。中空ガラス管の内側は金属膜の単層膜や、２種類以上の密度の異なる膜の多層膜が形成してあっても良い。G0格子３と試料４を透過したＸ線はフレネルゾーンプレート（FZP）５とG1格子６を透過してＸ線検出器７に入射し、像として記録される。本発明ではFZP５に１０倍と４０倍の拡大倍率が得られるものを用意し、全体の光学系が切り替えられるようにした。
【００３１】
図４（ｂ）で、G0格子３は格子のX線を透過する部分が仮想Ｘ線源となり、Talbot-Lau干渉計は多くの細いＸ線源を重ね合わせるような光学系となっている。その結果、Ｘ線源１が微小焦点Ｘ線源ではなく、ある程度の面積があっても高空間分解能顕微鏡として機能する。Ｘ線強度が大きなＸ線源は有限な面積をもつため、空間分解能を高くとるためにはG0格子３が必要であるが、Ｘ線源サイズが10μｍ以下のときはG0格子を使わない場合もある。本実施例ではＸ線源の直径が70μｍのものを用いた。
【００３２】
本実施例で用いた、G0格子３-1及び３-2、FZP５-１及び５−２、G1格子６−１及び６−２の試料位置からの距離を図５に表す。Ｇ０格子３の講師ピッチは低倍率・高倍率ともに３．０μｍとした。低倍率ＦＺＰ５−１は×１０倍、高倍率ＦＺＰ５−２は×４０倍、低倍率G1格子６−１のピッチは２．９μｍ、高倍率Ｇ１格子６−２のピッチは２．４μｍとした。表1に本実施例光学素子の設置位置を纏めて表示する。これらの光学素子の位置の決定方法については非特許文献１０に詳細が述べられている。
【表１】
2019066051.tif 000003
【００３３】
本実施例ではＸ線検出器にピクセルサイズ０．６５μｍ×０．６５μｍで１０２４ｃｈ×１０２４ｃｈの２次元検出器を用いた。本実施例の撮像領域サイズと空間分解能はこの検出器の検出エリアとピクセルサイズで決まり、低倍率（×１０倍）では０．６５μｍ×１０２４×１/１０＝６６μｍ（角）の検出エリアと０．６５μｍ/１０＝６５nmの検出ピクセルサイズとなる。同様に高倍率（×４０倍）では、１６．４μｍ（角）の検出エリアと１６．３nmの検出ピクセルサイズとなる。実際の空間分解能については、各光学素子の出来上がり精度等の影響を受け、標準試料の測定から低倍率で約１５０nm、高倍率で約５０nmであった。
【００３４】
本実施例での光学系の倍率交換機構の構成を図６に示す。図６においてG0格子３を通過したＸ線は試料４を通過後FZP５−１及びG1格子６−１を通過、あるいはFZP５−２及びG1格子６−２を通過する。上記表１に示したように、FZPで顕微鏡としての倍率を決め、それに合うようなG1格子を組み合わせて用いている。従って、本発明ではFZP５−１とG1格子６−１、FZP５−２とG1格子６−２はそれぞれの組み合わせで用いられ、光学素子載置台８を動かすことにより、顕微鏡としての倍率を変更している。
【００３５】
図６においてG0格子３は取り付け冶具３１に固定され、G0格子の中心付近でＸ線光路Ｘを中心にＸ垂直面内で回転調整可能なスィーベル３２、回転可能な回転機構３３、G0格子の位置をＸ線光路Ｘとその垂直方向に移動可能な移動機構３４によりその位置及び取り付け状態を調整可能である。なお、Ｘ線光路X方向への移動は外部制御可能な移動機構を備えている。試料４は試料取り付け冶具４１に固定され、試料XY移動台４２に固定される。該試料XY移動台４２は試料回転台４３に固定されている。試料回転台４３はＸ線光路Xに対して垂直な軸の周りに外部制御可能な回転角θで回転できるようになっている。また、試料回転台４３は回転軸に方向に対してZ併進可能な構造となっている。
【００３６】
低倍率で試料全体像の撮像を行った後に、試料XY移動台４２と試料回転台のZ併進機能により、試料の位置を移動し、試料の所望の特定部位（Region of Interest、ＲＯＩ）を視野中心に合わせることが可能となっている。
【００３７】
FZP５−１及び５−２はそれぞれ高さ調整Zが可能な取り付け冶具５１に固定され、FZP XY移動台５２に固定されたうえで光学系切替台８に搭載される。これにより、FZP５−１及びFZP５−２は独立に光学系切替台の上で、Ｘ線光路X方向とそれに垂直な２軸YZに対して調整可能となっている。
【００３８】
G1格子６−１及び６−２はそれぞれ高さ調整Zが可能な取り付け冶具６１に固定され、G１格子の中心付近でX線光路Xを中心にX垂直面内で回転調整可能なスィーベル６２、回転可能な回転機構６３、G1格子XY移動台６４に固定されたうえでＸ線光学系切替台８に搭載される。これにより、G1格子６−１及びG1格子６−２は独立にＸ線光学系切替台８の上で、Ｘ線光路X方向とそれに垂直な２軸YZ及びG1格子のＸ線格子に対する垂直面内での回転及びＸ線経路Xに垂直な軸での回転に対して調整可能となっている。
【００３９】
FZP５−１及び５−２またG1格子６−１及び６−２の各調整項目は２通りの顕微鏡倍率のＸ線光路に対してそれぞれ調整される。これらの調整については手動が可能な調整もあるが、外部制御で調整できるようにすることが望ましい。なお、G1格子６−１及び６−２のＸ線光路に対する垂直なY移動に関しては、位相画像情報を取得する測定のため、必ず外部制御で移動できるようにしておく必要がある。
【００４０】
上記のようにＸ線光学系切替台８上に構成したFZP５−１及び５−２、G1格子６−１及び６−２により２通りの顕微鏡倍率のＸ線光路が構成されるが、Ｘ線光学系切替台８全体をX線光路Xに対し移動することで、ＸＲＭ倍率を容易に切り替えることが可能である。本実施例では、ＸＲＭ倍率を２種類切り替える構造としたが、２種類以上複数の光学系が切り替えられるようにすることも可能である。なお、倍率を１Xとする場合は、Ｘ線光路XにFZPを設置しない構成となる。
【００４１】
図７に本実施例の装置制御系を含む構成図を示す。Ｘ線源１はＸ線源制御装置９３を介して、G0格子調整機構、試料位置調整機構、FZP位置調整機構、G1位置調整機構及びX線光学系切替台８は図示したごとく位置調整用制御装置９４を介して、さらにＸ線検出器９はＸ線検出器制御装置９５を介してＸＲＭ制御装置９１に接続される。これらの調整パラメータ及びＸ線検出器測定データはデータ蓄積装置９２に蓄積される。
【００４２】
図８に本実施例の顕微鏡装置全体のブロック図を示す。図７に示した機器類は床からの振動を防ぐ除振機能を待つ課題１０４の上に設置された光学ベンチ１０３の上に設置されＸＲＭを構成する。該ＸＲＭは温度を厳密に制御する温度制御装置１０２を設置した防Ｘ線シールド兼装置外部パネル１０１の中に設置される。内部温度制御は０．１℃に制御できるようにした。
（位相ＣＴ像データの取得方法）
【００４３】
上述した本実施例の位相差ＸＲＭ装置によりＸ線検出器８に試料４の透過Ｘ線像が得られる。位相像を撮像するためには、撮像に供しているG1格子６−１或いは６−２をその格子ピッチの1/3以下の移動ピッチでＸ線光路Xに垂直かつ格子のストライプに垂直な方向（この場合はY方向）に微小量ΔY移動する毎に透過像を撮像して得る。試料の構造により僅かに屈折したＸ線がG１格子を通過することにより格子の像を歪めＸ線検出器８で画像データとして測定しデータ蓄積装置９２に記録される。本実施例の低倍率（Ｘ１０）X線顕微像を撮像する場合、Ｇ１格子のピッチ（２．９μｍ）の１／４の０．７２５μｍをΔＹとして、０、０．７２５μｍ、１．４５μｍ、２．１７５μｍの移動量で４枚の透過像を撮像する。この４枚の画像から、非特許文献１１で解説されている方法を用いて位相像を取得する。このとき位相像だけでなく、吸収像、散乱像が取得できる。
【００４４】
ＣＴ像を取得するためには、上記した透過Ｘ線像の撮像方法を用い、図６に示した試料回転台４３の回転軸をΔθずつ回転させる毎にＧ１をΔＹ移動させて複数の透過像を撮像し、試料回転角毎の位相像のＣＴデータをデータ蓄積装置９２に記録する。なお、このとき同時に同様に吸収像、散乱像の試料回転角度毎のＣＴデータとして記録することが出来る。この測定方法はΔＹを一定にして、Δθ毎に角度移動させて透過像を記録し、ΔＹを移動する毎にΔθ毎の透過像データを測定、データ蓄積装置に記録し、全データを測定し終えてからデータ処理し、位相像、吸収像、散乱像のCTデータとすることも可能である。
（位相インテリアＣＴ像データの取得方法）
【００４５】
試料４の中には特に高空間分解能データ測定を行う必要が含まれる場合がある。本実施例装置の場合、低倍率（×１０倍）で６６μｍ（角）の検出エリアと６５nmの検出ピクセルサイズ、高倍率（×４０倍）で１６．４μｍ（角）の検出エリアと１６．３nmの検出ピクセルサイズとなる。例えば、試料サイズが直径５０μｍで、その中の１０μｍ部分を最高空間分解能ＣＴで測定したい場合がこの例に相当する。試料サイズが直径５０μｍあるとすれば、低倍率ＸＲＭの低倍率の設定で測定し、６５nm検出ピクセルサイズでＣＴ画像取得をすることになる。高倍率設定では厳密なＣＴ画像再構成をすることが出来ない。
【００４６】
本発明のインテリアＣＴ画像再構成方法はこのような場合でも、精度の高い画像再構成が可能であり、位相インテリアＣＴ画像再構成を行うためのデータの取得方法について説明する。
【００４７】
低倍率で測定する場合、図９（ａ）にあるように試料４全体にＸ線が照射されそのＸ線はＦＺＰ５―１及びＧ１格子６−１を通過してＸ線検出器８に入射する。この条件でＣＴデータを取得し、厳密なＣＴ画像再構成を行うことが可能である。一方、同一の試料を高倍率設定のＸＲＭで撮像するとＦＺＰ５−２の拡大倍率とＸ線検出器８の大きさの関係から図９（ｂ）に示すような状態となり、試料の４１部分のみがＣＴ画像再構成に必要な全方位のＸ線透過が行われる条件になるが、その他の部分は不充分な測定データとなり、試料４１部分を含めて厳密なＣＴ画像再構成を行うことが出来ない。そこで、本発明では図９（ａ）に示される低倍率測定で得られた厳密ＣＴ画像再構成可能なデータを用いて、図９（ｂ）の試料４１部分の精密ＣＴ画像再構成を行う方法を開発した。低倍率測定で得られた測定データ或いは再構成したＣＴ画像は構造未知の試料４の先験情報として用いることが可能である。
【００４８】
更に、この方法によれば、図９（ａ）で全体のＣＴ画像データを取得した後は図９（ｂ）に示される設定で測定することになる。図９（ａ）及び図９（ｂ）において、Ｘ線源１に付属しているＸ線シャッター１１により、データを取得する必要があるときのみＸ線光路ＸからＸ線シャッター１１を移動させ、試料４にＸ線が照射されるようにする。更に、高倍率の設定で試料の一部のみのデータ取得を行うときは４象限Ｘ線スリット１２或いはＸ線ピンホールを用いて必要とされる部分にのみＸ線を照射することになり、試料全体のＸ線被曝を著しく減少させることが可能となるメリットが得られる。
（インテリアＣＴの画像再構成法）
【００４９】
本発明では、測定した投影データから先験的知識を同定する手法（先験的知識同定型画像再構成法）と、同定せずに（どんな画像でも概ね近似的に当てはまる）画像の周辺部に固定する手法（先験的知識非同定型画像再構成法）を開発した。
【００５０】
図１０は、本発明の２段階画像再構成法の処理の流れを示す。第１ステップ（Ｓ６１）では、先験的知識なしで従来のＦＢＰ法、逐次近似画像再構成法、統計的画像再構成法などを用いて、アーティファクトを含む不完全画像を生成する。この不完全画像はアーティファクトを含むが、インテリアＣＴで発生するアーティファクトは低周波成分であるため、組織や構造物などの境界の情報はほとんどの場合、正確に生成されている。図１１（ａ）にも示す上記の不完全画像から、ユーザが手動やソフトウェアを用いた画像解析（処理）により、先験的知識として使用できるＲＯI 内の任意小領域である領域Bを特定する（Ｓ６２）。
【００５１】
第２ステップでは、第１ステップで得られた領域Bを先験的知識に使用して、図１１（ｂ）に示すように、厳密な画像再構成法により（即ち、第１段階の再構成よりも精度の高い）画像再構成を行う（Ｓ６３）。なお、第１ステップによりどのような先験情報領域Bが抽出できたかにより決定する。
【００５２】
ここで、上記の不完全画像から得られた結果は、以下の［結果１］〜［結果４］の４つに要約される。例えば、一定値のBであれば［結果１］を、一定値とは言えないが多項式の濃度変化に近いBであれば［結果２］を、区分的一様のBであれば［結果３］を、そして、区分的多項式の濃度変化に近いBであれば［結果４］を選択して用いる。
【００５３】
[結果１（一定値先験的知識）]
図１２（ａ）に示すように、ＲＯI の内部に任意の小さな先験情報領域Bが存在し、Bにおいて前記の画像f(x,y)が一定値C（constant）であることが既知であれば、インテリアＣＴの画像再構成の解は一意に定まる。この結果１は非特許文献５、６の厳密解法の先験的知識を少なくしたものとなっている。
【００５４】
[結果２（多項式先験的知識）]
図１２（ａ）に示すように、ＲＯI の内部に任意の小さな先験情報領域Bが存在し、Bにおいて前記画像f(x,y)がM次の多項式（polynomial）であることが既知であれば、インテリアＣＴの画像再構成の解は一意に定まる。ここで、多項式とは、前記画像f(x,y)の濃度変化が以下の形をしていることである。
【数１】
2019066051.tif 000004
【００５５】
ただし，多項式の次数Mは既知である必要があり，多項式の係数amnは未知で良い。［結果１］は、［結果２］において多項式の次数をM=0に設定した関数の形の制限を強くしたものであり、即ち、［結果２］は［結果１］の先験的知識を少なくしたものになっている。
【００５６】
[結果３（区分的一様先験的知識）]
図１２（ａ）に示すように、ＲＯI の内部に任意の小さな領域Bが存在し、Bにおいて前記画像f(x,y)が区分的一様（piecewise constant）であることが既知であれば、インテリアＣＴの画像再構成の解は一意に定まる。ここで、区分的一様とは、図１３に示すように、Bが有限個（L個）の領域D1,D2, …,DLから構成され各領域で一定値C1,C2, …,CLであることである。ただし、領域数Lと一定値C1,C2, …,CLの値は事前に未知で良く、［結果３］は［結果１］の先験的知識を少なくしたものとなっている。
【００５７】
[結果４（区分的多項式先験的知識）]
図１２（ａ）に示すように、ＲＯI の内部に任意の小さな領域Bが存在し、Bにおいて前記画像f(x,y)がM次の区分的多項式（piecewise polynomial）であることが既知であれば、インテリアＣＴの画像再構成の解は一意に定まる。ここで、区分的多項式とは、図１３に示すようにBが有限個（L個）の領域D1,D2,…,DLから構成されl番目の領域の画像fl(x,y)の濃度変化が以下の形をしていることである。
【数２】
2019066051.tif 000005
【００５８】
ただし、多項式の次数Mは既知である必要があり、領域数Lと多項式係数amn(l)は未知で良く、［結果４］は、［結果２］と［結果３］の先験的知識を少なくしたものとなっている。
【００５９】
このように、厳密な画像再構成を行うために必要な物体に関する先験的知識を理論的に考察して、上記従来技術（非特許文献５と６、特許文献１）に述べられている先験的知識より、はるかに少ない先験的知識で厳密な画像再構成を可能とした。
【００６０】
上記非特許文献５と６では、［結果１］〜［結果４］と同じＲＯI 内の任意小領域Bの先験的知識を用いているが、画像f(x,y)の値そのものが必要であるのに対し、本発明では、［結果１］〜［結果４］では画像f(x,y)の値が（区分的）一様または（区分的）多項式など、はるかに少ない先験的知識だけで良い点で大きく異なる。また、非特許文献５では、区分的一様タイプの先験的知識を用いているが、ＲＯI 内の任意小領域Bではなく、ＲＯI 全体で区分的一様という無理な仮定が必要な点で異なる。
【００６１】
また、図１４（ａ）〜（ｃ）には、上記［結果１］〜［結果３］の先験的知識を用いた場合の実際の再構成例を示す。どの場合も、少しの先験的知識により大きなアーティファクトの低減が達成できていることがわかる。
＜実施例２＞
【００６２】
上記の実施例で説明した発明により、インテリアＣＴの厳密な画像再構成に必要な先験的知識ははるかに少なくできた。しかしながら、実際のＣＴイメージングにおいては、撮影前に対象とする物体に関する先験的知識が分かっている場合は比較的少ない。そこで、実施例２では、上記の図１３に示した処理の流れにおいて、ステップＳ６２で先験的知識として使用できるＲＯI 内の任意小領域である領域Bを自動的に同定するものである。この先験情報領域の自動的同定は、例えば、画像解析（処理）技術を利用することによって実現可能である。
＜実施例３＞
【００６３】
上記の実施例１の先験的知識自動推定型画像再構成法の成否は、第１ステップにおける先験的知識（領域B）の同定が上手くできるか否かに依存する。そこで、更に実施例３では、領域Bを同定しないで画像再構成を行う「先験的知識非同定型画像再構成法」である。ＲＯI 周囲の縁の部分が区分的一様または区分的多項式であるという仮定は厳密には正しくないため、本手法は近似的な画像再構成法に止まるが、しかし、多くのＣＴイメージングの状況では［知見３］が成立するため、ＲＯI の周囲である縁の部分に固定して配置することにより、図１４（ａ）〜（ｃ）に示すように、先験的知識を利用しない他の近似的画像再構成法と比較して、はるかに精度高く画像再構成できる。
【００６４】
図１５（ａ）〜（ｆ）には、先験的知識同定型画像再構成法（実施例１）と先験的知識非同定型画像再構成法（実施例３）の具体的なシミュレーション実験例を、従来技術との比較により示す。実験には胸部ＣＴ画像を用い、中央に位置する心臓部分がＲＯI Sとして画像再構成を行った（図１５（ａ）参照）。
【００６５】
実施例１では、第１ステップのＦＢＰ法による再構成画像をユーザが見て先験情報領域BをＲＯI S内に指定して、第２ステップの厳密な画像再構成を行った（なお、用いた先験的知識は［結果３］に対応するBで区分的一様である）。その結果を図１５（ｅ）に示す。また、実施例３では、ＲＯI Sの周辺部（図１４（ｃ）の額縁型）に先験情報領域Bを固定して画像再構成を行った（なお、用いた先験的知識は［結果３］に対応するBで区分的一様である）。その結果を図１５（ｆ）に示す。
【００６６】
また、比較例として、投影データの欠損部分を滑らかな関数で外挿してＦＢＰ法を適用するローカルＦＢＰ法による結果を図１５（ｂ）に、同じ先験情報領域Bにおける画像f(x,y)の真値を先験的知識に用いた手法（非特許文献５、６）による結果を図１５（ｃ）に、小さな先験情報領域BのみではなくＲＯI S全体に対して区分的一様の拘束であるトータリバリエーション（ＴＶ：Total Variation）をかける圧縮センシング法（非特許文献５）による結果を図１５（ｄ）に、それぞれ、示す。
【００６７】
これらの結果から明らかなように、ローカルＦＢＰ法では強いカッピング効果が発生して画像劣化が著しく、圧縮センシング法ではＴＶの影響により細部や滑らかな濃度変化がかなり失われている。これに対して、本発明の実施例１及び３の手法では、いずれもアーティファクトを削減してかなり上手く画像再構成できていることがわかる。
【００６８】
[画像再構成法]
上述した［結果１］〜［結果４］の解の一意性に基づいて投影データから画像を生成する画像再構成法について説明する。まず、画像f(x,y)と投影データp(r,θ)を離散化したベクトルを、各々、ｆ，ｂで表し、画像に投影データを対応づける投影演算行列をAで表す。ただし、画像ｆはＲＯI S内の画素のみではなく、断面内の物体存在領域に属する全ての画素を含め（注意が必要）、投影データベクトルｂは全ての測定値を一列に並べて作成する。また、先験情報領域Bにおいて先験的知識が満足されているかどうかを評価する評価関数をF(x)で表す。このとき、画像再構成は以下の３つの最適化問題のいずれかとして定式化できる。
【００６９】
[定式化１]
【数３】
2019066051.tif 000006
【００７０】
[定式化２]
【数４】
2019066051.tif 000007
【００７１】
[定式化３]
【数５】
2019066051.tif 000008
【００７２】
ただし、ｘ∈Cは画像に関して事前に分かる拘束条件を表し、以下のものが良く用いられる。
（ａ）（サポート拘束）画像ｆが事前に既知であるサポート領域ΩOBJの外側でゼロになる。
（ｂ）（非負条件）画像ｆの成分は負の値を取らない。
（ｃ）（ヒルベルト直線上の投影データ値）後述するヒルベルト変換を用いた画像再構成法では、Aｆ=ｂをHｆ=cに書き換える際の情報のロスを補うため、後述するヒルベルト直線L(u)上の投影データ値が用いられる。
【００７３】
もしもF(x)が凸関数と呼ばれる局所的最適解（local minimum）が存在しない関数であれば、上述の問題を解く反復解法または非反復解法は、数理最適化分野や画像再構成分野で多数知られており、これらの手法が全て利用可能である。例えば、拘束条件付統計的画像再構成法や拘束条件付逐次近似法などが利用できる。また，別のクラスの画像再構成法として、微分逆投影（ＤＢＰ：Differentiated Back Projection）と呼ばれる後述する枠組みに基づき、画像再構成法を構築することが可能である。ＤＢＰ法の詳細は後述するが、ＤＢＰ法ではAｆ=ｂで表される画像ｆと投影データｂの関係式をそのまま用いるのではなく、一旦、ＤＢＰと呼ばれる手法により画像ｆとヒルベルト画像（Hilbert image）と呼ばれる不完全な画像cの関係式Hｆ=cに変換して、以下のように定式化して画像再構成を行う。このクラスの手法は、微分逆投影＋トランケーションヒルベルト変換法などの名称で呼ばれる（非特許文献５と６、特許文献１）。
【００７４】
［定式化４］
【数６】
2019066051.tif 000009
【００７５】
［定式化５］
【数７】
2019066051.tif 000010
【００７６】
［定式化６］
【数８】
2019066051.tif 000011
【００７７】
もちろん、上述のように定式化した問題は反復解法または非反復解法を用いて解く。
【００７８】
次に，本発明において厳密または正確な画像再構成を行うキーである先験情報領域Bにおける先験的知識を評価する評価関数F(x)について説明する。
【００７９】
まず、F(x)を設計するにあたって、ＲＯI S全体に対して先験的知識に基づく拘束条件をかける非特許文献５や非特許文献６の手法と異なり、本発明の画像再構成法ではS内の任意小領域である先験情報領域Bのみに拘束条件を課す。［結果1］の場合はf(x,y)の一回導関数がB内でゼロになる先験的知識であるから、Bにおけるf(x,y)の一回導関数のノルムを最小化するか、または、B内の濃度変化のばらつき（分散）を最小化すれば良い。［結果2］の場合は、f(x,y)のM+1回導関数がB内でゼロになる先験的知識であるから、M+1回導関数のノルムを最小化するか、f(x,y)とf(x,y)（(x,y)∈B）にM次の多項式を当てはめた関数との誤差を最小化すれば良い。［結果3］の場合は、f(x,y)がB内で区分的一様になる先験的知識であるから、B内におけるL0ノルムまたはL1ノルムに基づくトータルバリエーション（ＴＶ：Total Variation）ノルムを最小化すれば良い。［結果4］の場合は、f(x,y)のM回導関数がB内で区分的一様になる先験的知識であるから、M+1回の導関数に基づき定義されたＴＶノルムを最小化すれば良い。
【００８０】
典型的なF(x)の例を表２に示す。ただし、表２においてパラメータpはノルムの次数であり、その値は［結果１］と［結果２］では0≦p≦2で良いが、［結果３］と［結果４］では一様またはM次の多項式の濃度変化を持つ有限個（L個）の部分領域の境界の影響が過度に大きく評価されるのを避けるため、0≦p≦1を用いる必要がある。ただし、0≦p＜1の場合には、F(x)は凸関数にならないため、反復解法や非反復解法に工夫が必要であり、p=1を用いるのが良いと言える。なお，表２に示したF(x)で複数の候補があるものは数値実験によるテストを行ったが、どれも概ね良好に動作して大きな差は見られなかった。
【表２】
2019066051.tif 000012
【００８１】
更に、上述したように従来技術における対象物に関する先験情報を利用することなく、低倍率による全体画像データを用いたインテリアＣＴの数学的に厳密な画像再構成を実現する手法について、以下に詳述する。
＜実施例４＞
【００８２】
インテリアＣＴにおいて解の一意性（画像再構成問題の解が一つに定まること）が成り立ち、厳密な画像再構成を可能にするためには、インテリアＣＴ投影データに加えて、何らかの付加的な情報が必要である。実施例４ではこれに代わるものとして、インテリアＣＴでは通常は測定しない投影データ、即ち、画像を得たい領域ＲＯＩΩを通らない余分な投影データを測定して、この補足データを利用する。即ち、本発明実施例４の厳密解法の重要な特徴は、ＲＯＩΩを通らない必要最小限の余分な投影データを測定することにある。
【００８３】
特に試料撮像の倍率を変更可能な撮像光学系をもつことにより、試料全体像を撮像し、その一部がＲＯＩΩを通らない余分な投影データとて、補足データを利用することが有効な方法となる。
【００８４】
上記の手法は電子線、X線、中性子線等の顕微ＣＴの多様な光学系にも適用できる一般性を有するが、まず、試料が回転することにより相対的に電子線源が円軌道上を360度動くファンビームＣＴについてその原理を説明する。図１６（ａ）に示すように、360度の円軌道のファンビームＣＴにおいて、ＲＯＩΩを通過する電子線のみを照射して投影データを測定するインテリアＣＴの状況を考える。もちろん、インテリアＣＴ投影データだけでは数学的に厳密なＲＯＩ Ωの画像再構成は不可能であり、図１６（ｂ）に示すように、付加的な情報として、円軌道の一部の円弧セグメントEから対象物全体をカバーする電子線を照射して、全体の投影データを測定する。この部分的な全体投影データ（以下、単に「全体投影データ」とも言う）をインテリアＣＴ投影データに加味して、厳密なＲＯＩ Ωの再構成ができるようにしたところ、円弧セグメントEの任意の、一点ではない小さな円弧セグメントで全体投影データがあれば、厳密なＲＯＩ Ωの画像再構成が可能であることが数学的に証明できた。
【００８５】
また、上記の問題に対しては、過去の対象物に関する先験情報を用いたインテリアＣＴ厳密解法の研究で解の一意性を示すツールとして使用された微分逆投影（ＤＢＰ： Differentiated Back  Projection）法とトランケーションヒルベルト変換を組み合わせた画像再構成法（非特許文献[５]-[９]）では証明できないが、ＦＢＰ法におけるフィルタリング処理にトランケーションヒルベルト変換を導入した新しい画像再構成法を用いることで証明した。ここで、本発明で明らかになった360度円軌道ファンビームＣＴにおけるインテリアＣＴ画像再構成問題の解の一意性をまとめると、次のようになる。
【００８６】
［解の一意性］
インテリアＣＴ投影データに加えて任意の円弧セグメントE（いくら小さくともよい）の全体スキャン（左右のトランケーションなし）投影データがあれば、インテリアＣＴの画像再構成の解は一意である。
【００８７】
＜得られたインテリアＣＴにおける解の一意性＞
ここでは、後に説明するＦＢＰ法のフィルタリング処理にトランケーションヒルベルト変換を導入した新しい画像再構成法に基づき証明することに成功した、インテリアＣＴ画像再構成における解の一意性の結果をまとめて述べる。なお、記号の定義として、対象画像（物体）をf(x,y)、ＲＯＩをΩで表す。
【００８８】
まず、図１７に基づいて、一般化する際の考え方を述べる。任意の幾何学系を用いた場合において、物体の直線上の線積分値の集合を測定している点は共通であり、両者の投影データの間には座標変換の関係が成立する。そこで、任意の幾何学系で測定した投影データを、一旦、図１７（ａ）に示すように、仮想的な360度円軌道ファンビームＣＴの投影データに座標変換して、そのデータが360度円軌道ファンビームＣＴの場合における一意性の条件を満足しているか調べ、任意の幾何学系で測定した投影データに適用可能な解の一意性を導出すると、最終的に、次の結論が得られる。
【００８９】
［解の一意性（任意の幾何学系）］
以下の２つの両方の条件が満足されるように投影データが測定されていれば、ＲＯＩ Ωで画像f(x,y)は一意に定まり、Ωの厳密な再構成が可能である。
【００９０】
（条件１）ＲＯＩ Ωを通る全ての投影データが測定されていること（インテリアＣＴの測定条件）。
【００９１】
（条件２）物体外部にある任意の（物体を内部に含むある円に対応する）小円弧セグメントEを通る全ての直線上の投影データ（部分的な全体投影データ）が測定されていること（解を一意に定めるために余分に測定する投影データの条件）。
【００９２】
ただし、小円弧セグメントEの長さは、物体を内部に含むある円に対応するセグメントであり、一点ではないならばいくら短くともよく、どの場所にあってもよい。上述した２つの幾何学的条件の意味を、図１７（ｂ）に示す。
【００９３】
更に、上述の一般化した解の一意性が有効な３つの事例を以下に述べる。
【００９４】
（ａ）180度平行ビームスキャンの場合
ＣＴのデータ収集法の中で、電子線撮像では最も基本的な180度平行ビームスキャンでインテリアＣＴを実施する場合を考える。動径をr、角度をθとして投影データをp(r,θ)（投影角度範囲-π/2≦θ＜π/2）で表す。いま、-ε≦θ≦ε（εは小角度）の角度範囲では（トランケーションなしの）全体投影データが測定され、それ以外ではインテリアＣＴ投影データしか測定されないとする。このとき、小円弧セグメントEを図１８（ａ）に示すようにとれば上述の解の一意性の条件を満足していることが分かり、ＲＯＩ再構成の解は一意である。
【００９５】
［解の一意性（180度平行ビーム）］
-π/2≦θ＜π/2の角度範囲のインテリアＣＴ投影データに加え任意の小角度範囲E（いくら小さくともよい）で全体投影データを測定すれば、ＲＯＩ Ωで画像f(x,y)は一意に定まり、Ωの厳密な再構成が可能である。
【００９６】
なお、この一意性は、360度円軌道ファンビームＣＴの場合の解の一意性において円軌道の半径を無限にした極限と解釈することができ、180度平行ビームスキャンにおいても360度円軌道ファンビームＣＴと同様な解の一意性が成立する。なお、この結果は任意の幾何学系に一般化した一意性を用いて初めて証明できる。
【００９７】
（ｂ）ファンビームショートスキャンの場合
図１８（ｂ）に示すファンビームショートスキャンの場合を考える。円軌道上のＸ線源の位置をβ∈[-π/2-αmax,π/2+αmax)（αmaxはショートスキャンの条件から決まるオーバースキャン角度、非特許文献[７]）、直線検出器上の座標をuとしてファンビーム投影データをg(u,β)で表す。いま、-ε≦β≦ε（εは小角度）の角度範囲で（トランケーションなしの）全体投影データが測定され、それ以外ではインテリアＣＴ投影データしか測定されないとする。このとき、小円弧セグメントEを図２１（ｂ）に示すようにとれば、上述の解の一意性の条件を満足していることが分かり、ＲＯＩ再構成の解は一意である。
【００９８】
［解の一意性（ファンビームショートスキャン）］
-π/2-αmax≦β＜π/2+αmaxの角度範囲のインテリアＣＴ投影データに加えて、任意の小角度範囲E（いくら小さくともよい）で全体投影データを測定すれば、ＲＯＩ Ωで画像f(x,y)は一意に定まり、Ωの厳密な再構成が可能である。
【００９９】
（ｃ）多角形軌道を用いたファンビームスキャン：
図１８（ｃ）に示す正五角形軌道を用いたファンビームスキャンを考える。正五角形軌道上のＸ線源の位置をβ∈[-π,π)（βは正五角形の中心から軌道上の点を見た方位角）、直線検出器上の座標をuとしてファンビーム投影データをg(u,β)で表す。今、-ε≦β≦ε（εは小角度で正五角形軌道の一辺がEになるように決定）の角度範囲では（トランケーションなしの）全体投影データが測定され、それ以外ではインテリアＣＴ投影データしか測定されないとする。
【０１００】
このとき、小円弧セグメントEを図１８（ｃ）に示すようにとれば、上述の解の一意性の条件を満足していることが分かり、ＲＯＩ再構成の解は一意である。
【０１０１】
［解の一意性（多角形軌道を用いたファンビームスキャン）］
-π≦β＜πの角度範囲のインテリアＣＴ投影データに加えて、任意の小角度範囲E（いくら小さくともよい）で全体投影データを測定すれば、ＲＯＩ Ωで画像f(x,y)は一意に定まり、Ωの厳密な再構成が可能である。
【０１０２】
（ｂ）位置合わせのScout-Viewスキャン投影データを全体投影データに利用する
撮影を行う前に見たいROIΩを上手く視野内に収める位置決めの目的で、物体全てが視野内に入るような低倍率のScout-Viewスキャンが行われる。このScout-Viewスキャンの機能を利用して、低倍率の投影データを、部分軌道Eの全体投影データとして利用することができる。
【０１０３】
次にScout-Viewスキャンにより特定したROIΩに対して２回目の測定が行われ、Ry軸の回転により、ＲＯＩを通過する電子線のみを照射してインテリアＣＴ投影データ全てが測定され、画像情報データ蓄積装置６１に保存される。これにより、インテリアCT画像を再構築するためのデータ取得が行える。
【０１０４】
画像情報データ蓄積装置６１に保存された１回目測定の試料全体投影の部分データ及びROIΩに対して行う２回目のインテリアＣＴ投影データ全ての測定データを用いて記述の画像再構築方法を用いて、インテリアCT画像を再構築する。
【符号の説明】
【０１０５】
１…Ｘ線源、２…Ｘ線集光鏡、３…G0格子、４…試料、５−１、５−２…FZP、６−１、６−２…G1格子、７…Ｘ線検出器、８…光学素子載置台、１１…Ｘ線シャッター、１２…４象限Ｘ線スリット、３１…G0格子取り付け冶具、３２…G0格子スィーベル、３３…G0格子回転機構、３４…G0格子移動機構、４１…試料取り付け冶具、４２…試料XY移動台、４３…試料回転台、５１…FZP取り付け冶具、５２…FZP XY移動台、６１…G1格子取り付け冶具、６２…G1格子スィーベル、６３…G1格子回転機構、６４…G1格子XY移動台、９１…ＸＲＭ制御装置、９２…データ蓄積装置、９３…Ｘ線源制御装置、９４…位置調整用制御装置、９５…Ｘ線検出器制御装置、１０１…防Ｘ線シールド兼装置外部パネル、１０２…温度制御装置、１０３…光学ベンチ、１０４…架台。
【図１】
2019066051.tif 000013
【図２】
2019066051.tif 000014
【図３】
2019066051.tif 000015
【図４】
2019066051.tif 000016
【図５】
2019066051.tif 000017
【図６】
2019066051.tif 000018
【図７】
2019066051.tif 000019
【図８】
2019066051.tif 000020
【図９】
2019066051.tif 000021
【図１０】
2019066051.tif 000022
【図１１】
2019066051.tif 000023
【図１２】
2019066051.tif 000024
【図１３】
2019066051.tif 000025
【図１４】
2019066051.tif 000026
【図１５】
2019066051.tif 000027
【図１６】
2019066051.tif 000028
【図１７】
2019066051.tif 000029
【図１８】
2019066051.tif 000030
【国際調査報告】
2019066051.tif 000031
2019066051.tif 000032